(57)【要約】【課題】イタズラを受ける可能性を低減できる電子機器を提供する。【解決手段】電源スイッチ１２を有する装置本体１０と、カバー２０とを有し、カバー２０は、スライドして取り外し可能なカバー本体２１と、スイッチ窓部２４と、スイッチ扉２２と、下方の第１の位置から上方の第２の位置に向かってスライド可能なスライド部材２３とを有し、装置本体１０は、突起部１０ｐを有し、スライド部材２３は、爪部２３ｆを有し、スイッチ扉２２の下端部２２Ｌは、閉扉時は、スライド部材２３の上端部２３Ｕに接触する一方、開扉時は、上端部２３Ｕへの接触を解除し、スライド部材２３の爪部２３ｆの側面２３ｆｓは、スライド部材２３が第１の位置にあるときは、装置本体１０の突起部１０ｐの側面１０ｐｓに接触する一方、第２の位置にあるときは、側面１０ｐｓへの接触を解除する、電子機器。【選択図】図１２
2019046344.tif 000002
【特許請求の範囲】
【請求項１】
電源スイッチを有する装置本体と、
前記装置本体の、前記電源スイッチを含む少なくとも一部を覆うカバーと、を有し、
前記カバーは、
幅方向または奥行方向にスライドして取り外し可能に前記装置本体に取り付けられたカバー本体と、
前記カバー本体に設けられ、前記電源スイッチを操作するために該電源スイッチを前記カバーの外部と連通させるスイッチ窓部と、
上方に向かって開扉可能に前記カバー本体に取り付けられ、前記スイッチ窓部を覆蓋するスイッチ扉と、
下方の第１の位置から上方の第２の位置に向かってスライド可能に前記カバー本体の前記スイッチ扉に隣接して取り付けられたスライド部材と、を有し、
前記装置本体は、上方に向かって突出する突起部を有し、
前記スライド部材は、下方に向かって突出する爪部を有し、
前記スイッチ扉の下端部は、
前記スイッチ扉の閉扉時は、前記第１の位置にある前記スライド部材の上端部に接触する一方、
前記スイッチ扉の開扉時は、前記スライド部材の上端部への接触を解除し、
前記スライド部材の前記爪部の前記幅方向または前記奥行方向における側面は、
前記スライド部材が前記第１の位置にあるときは、前記装置本体の前記突起部の前記幅方向または前記奥行方向における側面に接触する一方、
前記スライド部材が前記第２の位置にあるときは、前記装置本体の前記突起部の前記幅方向または前記奥行方向における側面への接触を解除する、電子機器。
【請求項２】
前記スイッチ扉は、前記奥行方向または前記幅方向に延在する回転軸を中心として斜め上方に向かって開扉可能に前記カバー本体に取り付けられ、
前記スライド部材は、下方の前記第１の位置から上方の前記第２の位置に向かってスライド可能に前記カバー本体の前記スイッチ扉の下側に取り付けられている、請求項１に記載の電子機器。
【請求項３】
前記カバーは、前記スイッチ窓部と前記電源スイッチとの間に延在し、かつ、該電源スイッチの操作方向に変位可能に前記カバー本体に取り付けられたスイッチ延長部をさらに有し、
前記スイッチ延長部は、前記スイッチ扉の開扉時に、前記電源スイッチの前記カバー外部からの操作を可能とする、請求項１または２に記載の電子機器。
【請求項４】
前記スイッチ扉は、閉扉状態となるように付勢され、
前記スライド部材は、前記第１の位置となるように付勢されている、請求項１乃至３のいずれか一項に記載の電子機器。
【請求項５】
前記スイッチ扉は、自重によって閉扉状態となるように付勢され、
前記スライド部材は、自重によって前記第１の位置となるように付勢されている、請求項４に記載の電子機器。
【請求項６】
前記装置本体と他の電子機器とを電気的に接続するためのケーブルを導出するケーブル導出部をさらに有している、請求項１乃至５のいずれか一項に記載の電子機器。
【請求項７】
請求項１乃至６のいずれか一項に記載の電子機器は、情報処理装置であり、
前記装置本体は、情報処理を行う制御部をさらに有し、
前記制御部は、
情報を演算処理する演算部と、
少なくともプログラムソフトウエアを記憶する記憶部と、
演算処理前の情報を入力する一方、演算処理後の情報を出力する情報入出力部と、を有し、
前記演算部は、前記記憶部に記憶された前記プログラムソウトウエアに基づいて演算処理を行う、情報処理装置。
【請求項８】
請求項７に記載の情報処理装置は、ＰＯＳ端末装置であり、
店員用ディスプレイと、顧客用ディスプレイと、をさらに有する、ＰＯＳ端末装置。
【請求項９】
レシートプリンタと、バーコードリーダと、をさらに有する、請求項８に記載のＰＯＳ端末装置。
【請求項１０】
請求項１乃至６のいずれか一項に記載の電子機器の、カバーの取り外し方法であって、
前記スイッチ扉を開扉することによって前記スライド部材の上端部への接触を解除することにより、前記スライド部材の前記第２の位置へのスライドを許可する工程と、
前記スライド部材を前記第２の位置に向かってスライドさせることによって前記スライド部材の前記爪部の前記側面の前記装置本体の前記突起部の前記側面に対する接触を解除することにより、前記カバー本体の前記幅方向または前記奥行方向のスライドを許可する工程と、
前記カバー本体を前記幅方向または前記奥行方向にスライドして前記装置本体から取り外す工程と、を有する、電子機器のカバーの取り外し方法。
【発明の詳細な説明】
【技術分野】
【０００１】
本発明は、電子機器、情報処理装置およびＰＯＳ端末装置に関する。
【背景技術】
【０００２】
ＰＯＳ（Point Of Sales）端末装置等の情報処理装置をも含む電子機器においては、メインテナンスに要する工数を削減すべく、例えば、装置のカバーの取り付けや取り外しを工具なしで行うことを可能にしたものがある。
【０００３】
特許文献１には、筐体のフレームに取り付けられたリアカバーを、工具なしで取り外すことができるＰＯＳ端末装置が開示されている。
【先行技術文献】
【特許文献】
【０００４】
【特許文献１】特開２０１３−０９７４２５号公報
【発明の概要】
【発明が解決しようとする課題】
【０００５】
特許文献１に開示されたＰＯＳ端末装置をも含め、カバーの取り付けや取り外しを工具なしで行える電子機器は、メインテナンスを行う者がカバーを容易に取り外すことができる。その反面、カバーの取り外しを許されていない者であっても、カバーを容易に取り外す行うことができてしまう。
【０００６】
特許文献１に開示されたＰＯＳ端末装置においては、特許文献１の段落００５８に記載されているように、リアカバーを取り外すための操作ツマミが一見して分かり難い位置に設けられている。このため、カバーの取り外しを許されていない者によるイタズラを、ある程度は抑制できる。しかし、上記操作ツマミがＰＯＳ端末装置の下方に露出しているのは事実である。このように操作ツマミが露出していると、イタズラを招来する可能性を否定できない。
【０００７】
このため、特許文献１に開示されたＰＯＳ端末装置をも含め、電子機器においては、イタズラを受ける可能性を低減できる構成が望まれる。
【０００８】
本発明の目的は、イタズラを受ける可能性を低減できる電子機器を提供することである。
【０００９】
本発明の他の目的は、イタズラを受ける可能性を低減できる情報処理装置を提供することである。
【００１０】
本発明のさらに他の目的は、イタズラを受ける可能性を低減できるＰＯＳ端末装置を提供することである。
【課題を解決するための手段】
【００１１】
本発明によれば、電源スイッチを有する装置本体と、前記装置本体の、前記電源スイッチを含む少なくとも一部を覆うカバーと、を有し、前記カバーは、幅方向または奥行方向にスライドして取り外し可能に前記装置本体に取り付けられたカバー本体と、前記カバー本体に設けられ、前記電源スイッチを操作するために該電源スイッチを前記カバーの外部と連通させるスイッチ窓部と、上方に向かって開扉可能に前記カバー本体に取り付けられ、前記スイッチ窓部を覆蓋するスイッチ扉と、下方の第１の位置から上方の第２の位置に向かってスライド可能に前記カバー本体の前記スイッチ扉に隣接して取り付けられたスライド部材と、を有し、前記装置本体は、上方に向かって突出する突起部を有し、前記スライド部材は、下方に向かって突出する爪部を有し、前記スイッチ扉の下端部は、前記スイッチ扉の閉扉時は、前記第１の位置にある前記スライド部材の上端部に接触する一方、前記スイッチ扉の開扉時は、前記スライド部材の上端部への接触を解除し、前記スライド部材の前記爪部の前記幅方向または前記奥行方向における側面は、前記スライド部材が前記第１の位置にあるときは、前記装置本体の前記突起部の前記幅方向または前記奥行方向における側面に接触する一方、前記スライド部材が前記第２の位置にあるときは、前記装置本体の前記突起部の前記幅方向または前記奥行方向における側面への接触を解除する、電子機器が得られる。
【００１２】
本発明によればまた、前記電子機器は、情報処理装置であり、前記装置本体は、情報処理を行う制御部をさらに有し、前記制御部は、情報を演算処理する演算部と、少なくともプログラムソフトウエアを記憶する記憶部と、演算処理前の情報を入力する一方、演算処理後の情報を出力する情報入出力部と、を有し、前記演算部は、前記記憶部に記憶された前記プログラムソウトウエアに基づいて演算処理を行う、情報処理装置が得られる。
【００１３】
本発明によればさらに、前記情報処理装置は、ＰＯＳ端末装置であり、店員用ディスプレイと、顧客用ディスプレイと、をさらに有する、ＰＯＳ端末装置が得られる。
【００１４】
本発明によればさらにまた、前記電子機器の、カバーの取り外し方法であって、前記スイッチ扉を開扉することによって前記スライド部材の上端部への接触を解除することにより、前記スライド部材の前記第２の位置へのスライドを許可する工程と、前記スライド部材を前記第２の位置に向かってスライドさせることによって前記スライド部材の前記爪部の前記側面の前記装置本体の前記突起部の前記側面に対する接触を解除することにより、前記カバー本体の前記幅方向または前記奥行方向のスライドを許可する工程と、前記カバー本体を前記幅方向または前記奥行方向にスライドして前記装置本体から取り外す工程と、を有する、電子機器のカバーの取り外し方法が得られる。
【発明の効果】
【００１５】
本発明による電子機器、情報処理装置およびＰＯＳ端末装置は、イタズラを受ける可能性を低減できる。
【図面の簡単な説明】
【００１６】
【図１】本発明の実施形態によるＰＯＳ端末装置の斜視図であり、（ａ）は前方から見た斜視図、（ｂ）は後方から見た斜視図である。
【図２】店員用表示部、顧客用表示部およびリーダライタ用台座を取り外した状態のＰＯＳ端末装置を後方から見た斜視図である。
【図３】図２に示すＰＯＳ端末装置からカバーを取り外した状態のＰＯＳ端末装置とカバーの斜視図である。
【図４】図２に示すＰＯＳ端末装置からカバーを取り外した状態のＰＯＳ端末装置とカバーの内側の斜視図である。
【図５】（ａ）は店員用表示部、顧客用表示部およびリーダライタ用台座を取り外した状態のＰＯＳ端末装置を後方から見た斜視図、（ｂ）はスイッチ扉近辺の拡大斜視図である。
【図６】（ａ）は図５に示すＰＯＳ端末装置の状態からスイッチ扉を開いた時の斜視図、（ｂ）はスイッチ扉近辺の拡大斜視図である。
【図７】（ａ）は図６に示すＰＯＳ端末装置の状態からスライド部材を上方にスライドさせた時の斜視図、（ｂ）はスイッチ扉近辺の拡大斜視図である。
【図８】（ａ）は店員用表示部、顧客用表示部、リーダライタ用台座およびカバーを取り外した状態のＰＯＳ端末装置を後方から見た斜視図、（ｂ）は装置本体の突起部近辺の拡大斜視図である。
【図９】店員用表示部、顧客用表示部およびリーダライタ用台座を取り外した状態のＰＯＳ端末装置の上面図である。
【図１０】（ａ）は図９における切断線１０Ａ−１０Ａに沿ったＰＯＳ端末装置の矢視図、（ｂ）はスイッチ扉近辺の拡大図である。
【図１１】（ａ）は図１０（ａ）に示すＰＯＳ端末装置の状態からスイッチ扉を開いた時の矢視図、（ｂ）はスイッチ扉近辺の拡大図である。
【図１２】（ａ）は図１１（ａ）に示すＰＯＳ端末装置の状態からスライド部材を上方にスライドさせた時の矢視図、（ｂ）はスイッチ扉近辺の拡大図である。
【図１３】本発明の実施形態によるＰＯＳ端末装置のカバーの内側の斜視図である。
【図１４】本発明の実施形態によるＰＯＳ端末装置の扉保持部の（ａ）は上面図、（ｂ）は正面図、（ｃ）は下面図、（ｄ）は左側面図、（ｅ）は右側面図、（ｆ）は背面図である。
【図１５】本発明の実施形態によるＰＯＳ端末装置のスイッチ扉の（ａ）は上面図、（ｂ）は正面図、（ｃ）は下面図、（ｄ）は左側面図、（ｅ）は右側面図、（ｆ）は背面図である。
【図１６】本発明の実施形態によるＰＯＳ端末装置のスイッチ延長部の（ａ）は上面図、（ｂ）は正面図、（ｃ）は下面図、（ｄ）は左側面図、（ｅ）は右側面図、（ｆ）は背面図である。
【図１７】図１６に示すスイッチ延長部の（ａ）は正面図、（ｂ）は図１６（ａ）における切断線１７Ｂ−１７Ｂに沿った断面図である。
【図１８】本発明の実施形態によるＰＯＳ端末装置のスライド部材の（ａ）は上面図、（ｂ）は正面図、（ｃ）は下面図、（ｄ）は左側面図、（ｅ）は右側面図、（ｆ）は背面図である。
【図１９】図１８に示すスライド部材の（ａ）は上面図、（ｂ）は下面図である。
【図２０】本発明の実施形態によるＰＯＳ端末装置のカバー本体にスライド部材を取り付けた状態の内側の斜視図である。
【図２１】本発明の実施形態によるＰＯＳ端末装置のカバー本体にスライド部材を取り付けた状態の、（ａ）は内側の図、（ｂ）は他の内側の図である。
【図２２】本発明の実施形態によるＰＯＳ端末装置のカバー本体にスライド部材を取り付けた状態の、（ａ）は内側の図、（ｂ）は上下方向における中央部の拡大図、（ｃ）は図２２（ｂ）における切断線２２Ｃ−２２Ｃに沿った拡大断面図、（ｄ）は図２２（ｂ）における切断線２２Ｄ−２２Ｄに沿った拡大断面図である。
【図２３】（ａ）および（ｂ）は本発明の実施形態によるＰＯＳ端末装置にレシートプリンタとバーコードリーダが載置された状態の斜視図である。
【発明を実施するための形態】
【００１７】
以下、図面を参照して、本発明の実施形態による、電子機器（情報処理装置）としてのＰＯＳ端末装置を説明する。尚、図中、符号Ｗは幅方向を示し、符号Ｈは高さ方向を示し、符号Ｄは奥行方向を示している。
【００１８】
図１〜図２３を参照すると、本発明の実施形態による電子機器（情報処理装置）としてのＰＯＳ端末装置は、制御部を内蔵した制御ボックス１１および電源スイッチ１２（図３等に示す）を有する装置本体１０と、電源スイッチ１２を含む少なくとも一部を覆うカバー２０とを有している。
【００１９】
制御ボックス１１に内蔵された制御部は、図示はしないが、情報を演算処理する演算部と、少なくともプログラムソフトウエアを記憶する記憶部と、演算処理前の情報を入力する一方、演算処理後の情報を出力する情報入出力部とを有している。演算部は、記憶部に記憶されたプログラムソウトウエアに基づいて演算処理を行う。
【００２０】
本情報処理装置はさらに、店員用ディスプレイ４０Ｓと、顧客用ディスプレイ４０Ｃとを有している。
【００２１】
さらに、本ＰＯＳ端末装置は、基台部３０を有している。基台部３０には、装置本体１０と他の図示しない電子機器と電気的に接続するためのケーブルを導出するケーブル導出部３５を有している。
【００２２】
カバー２０は、幅方向Ｗまたは奥行方向Ｄ（本例では、幅方向Ｗ）にスライドして取り外し可能に装置本体１０に取り付けられたカバー本体２１と、カバー本体２１に設けられ、電源スイッチ１２を操作するために電源スイッチ１２をカバー２０の外部と連通させるスイッチ窓部２４（図６（ｂ）等に示す）と、上方に向かって開扉可能にカバー本体２１に取り付けられ、スイッチ窓部２４を覆蓋するスイッチ扉２２と、下方の第１の位置から上方の第２の位置に向かってスライド可能にカバー本体２１のスイッチ扉２２に隣接して取り付けられたスライド部材２３とを有している。
【００２３】
図１５（ａ）〜（ｆ）に示すスイッチ扉２２は、奥行方向Ｄまたは幅方向Ｗ（本例では、奥行方向Ｄ）に延在する回転軸を中心として斜め上方に向かって開扉可能にカバー本体２１に取り付けられている。
【００２４】
図１８（ａ）〜（ｆ）ならびに図１９（ａ）および（ｂ）に示すスライド部材２３は、下方の第１の位置から上方の第２の位置に向かってスライド可能にカバー本体２１のスイッチ扉２２の下側に取り付けられている。尚、カバー本体２１に取り付けられたスライド部材２３は、図５（ａ）等から明らかなように、カバー本体２１に連続した形状、換言すれば、カバー本体２１と共通または一体の意匠を呈している。このため、スライド部材２３は、下方の第１の位置にあるとき、スライド可能であると判別し難くなっている。
【００２５】
装置本体１０は、上方に向かって突出する突起部１０ｐ（図８（ａ）および（ｂ）等に示す）を有している。
【００２６】
スライド部材２３は、下方に向かって突出する爪部２３ｆ（図１３等に示す）を有している。
【００２７】
スイッチ扉２２は、自重によって閉扉状態となるように付勢されている。一方、スライド部材２３は、自重によって第１の位置となるように付勢されている。
【００２８】
カバー２０は、スイッチ窓部２４と電源スイッチ１２との間に延在し、かつ、電源スイッチ１２の操作方向に変位可能にカバー本体２１に取り付けられたスイッチ延長部６０（図６（ｂ）等に示す）をさらに有している。図１６（ａ）〜（ｆ）ならびに図１７（ａ）および（ｂ）に示すスイッチ延長部６０は、電源スイッチ１２のカバー２０外部からの操作を可能とする。
【００２９】
さて、図５（ａ）および（ｂ）〜図７（ａ）および（ｂ）ならびに図１０（ａ）および（ｂ）〜図１２（ａ）および（ｂ）に示すように、スイッチ扉２２の下端部２２Ｌは、スイッチ扉２２の閉扉時は、第１の位置にあるスライド部材２３の上端部２３Ｕに接触する一方、スイッチ扉２２の開扉時は、スライド部材２３の上端部２３Ｕへの接触を解除する。
【００３０】
図５（ａ）および（ｂ）〜図７（ａ）および（ｂ）ならびに図１０（ａ）および（ｂ）〜図１２（ａ）および（ｂ）に示すように、スライド部材２３の爪部２３ｆの幅方向Ｗまたは奥行方向Ｄ（本例では、幅方向Ｗ）における側面２３ｆｓは、スライド部材２３が第１の位置にあるときは、装置本体１０の突起部１０ｐの幅方向Ｗまたは奥行方向Ｄ（本例では、幅方向Ｗ）における側面１０ｐｓに接触する一方、スライド部材２３が第２の位置にあるときは、装置本体１０の突起部１０ｐの側面１０ｐｓへの接触を解除する。
【００３１】
本ＰＯＳ端末装置はさらに、図２３に示すように、周辺装置としてのレシートプリンタ７０と、バーコードリーダ８０とを有している。
【００３２】
次に、本ＰＯＳ端末装置を、図面を参照してさらに詳しく説明する。
【００３３】
図１（ａ）および（ｂ）、図２、図３ならびに図４を参照すると、本発明の実施形態による電子機器（情報処理装置）としてのＰＯＳ端末装置は、制御部が内蔵された制御ボックス１１を有する装置本体１０と、店員用表示部４０Ｓと、顧客用表示部４０Ｃと、付属装置を載置する基台部３０とを有している。
【００３４】
店員用表示部４０Ｓと顧客用表示部４０Ｃとは、どちらもタッチパネル付きディスプレイを有し、装置本体１０の上方に設けられたディスプレイ支持部５０によって角度調整可能に支持されている。基台部３０のケーブル導出部３５からは、付属装置への接続ケーブルが導出されているが、接続ケーブルの図示は省略している。基台部３０上には、リーダライタ用台座３２と、バーコードリーダ載置部３３が設けられている。
【００３５】
尚、図２は、図１の状態から店員用表示部４０Ｓ、顧客用表示部４０Ｃおよびリーダライタ用台座３２を取り外した状態を示している。図２において、店員用表示部４０Ｓのヒンジ部５２Ｓと顧客用表示部４０Ｃのヒンジ部５２Ｃは取り付けたままである。図３は、図２の状態からカバー２０を取り外した状態を示している。また、図３において、制御部が内蔵されている制御ボックス１１に取り付けてある接続ケーブルは、途中以降の図示を省略している。図３に示すように、制御ボックス１１は、電源スイッチ１２を有している。
【００３６】
図４から分かるように、カバー２０がＰＯＳ端末装置に取り付けられている時、カバー２０のＬ字型の係合爪２０ｆ（５箇所）はそれぞれ、装置本体１０の５箇所の凹部１０ｓに入り込む。また、カバー２０の下端に設けられている２箇所の凸部２０ｐは、装置本体１０の２箇所の凹部１０ｄに挿入される。
【００３７】
次に、図５（ａ）および（ｂ）〜図１２（ａ）および（ｂ）を参照して、カバー２０の取り外し方法について説明する。
【００３８】
通常時は、図５（ａ）および（ｂ）ならびに図１０（ａ）および（ｂ）に示すように、スイッチ扉２２は、閉扉状態である。このとき、スイッチ扉２２が閉じられているため、スライド部材２３を上方に押しあげることはできない。したがって、スライド部材２３の爪部２３ｆの側面２３ｆｓは、装置本体１０の突起部１０ｐの側面１０ｐｓに接触した状態である。
【００３９】
次いで、図６（ａ）および（ｂ）ならびに図１１（ａ）および（ｂ）に示すように、スイッチ扉２２をめくり上げて開扉状態にする。このとき、スイッチ窓部２４内には、スイッチ延長部６０が露出する。また、スイッチ扉２２が開かれているため、スライド部材２３を上方に押し上げることができる。
【００４０】
さらに、図７（ａ）および（ｂ）ならびに図１２（ａ）および（ｂ）に示すように、スイッチ扉２２は開扉状態のままで、スライド部材２３の下端部２３Ｌ（図１８（ｂ））に指をかけてスライド部材２３を上方に押し上げると、スライド部材２３の爪部２３ｆの側面２３ｆｓと装置本体１０の突起部１０ｐの側面１０ｐｓとの接触が解除された状態となる。
【００４１】
さらにまた、図７（ａ）および（ｂ）ならびに図１２（ａ）および（ｂ）に示す状態で、カバー２０を幅方向Ｗ（本例においては前方から見て右方向）にスライドさせると、装置本体１０の凹部１０ｓ（図４参照）へのカバー２０の係合爪２０ｆ（図４参照）の挿入が解除され、カバー２０を取り外すことができる。
【００４２】
以上のようにして、カバー２０が装置本体１０から取り外される。
【００４３】
次に、図１３〜図２０を参照して、カバー２０の構造について説明する。
【００４４】
図１３に示すように、カバー２０は、カバー本体２１、扉保持部２５、スイッチ扉２２、スイッチ延長部６０およびスライド部材２３から構成されている。図４を参照して前述したように、カバー本体２１には、係合爪２０ｆが５箇所に設けられ、下端に２箇所の凸部２０ｐが設けられている。
【００４５】
図１４（ａ）〜（ｆ）に示す扉保持部２５は、カバー本体２１に組み付けられる。扉保持部２５には、スイッチ扉２２の後述する回動軸を挿通するための２箇所の孔部２５ｘが設けられている。
【００４６】
図１５（ａ）〜（ｆ）に示すスイッチ扉２２は、カバー本体２１に組み付けられた扉保持部２５によって回動自在に保持される。スイッチ扉２２の回動軸２２ｘは、扉保持部２５の孔部２５ｘに挿通される。スイッチ扉２２を回動軸２２ｘを中心として、回動的に開扉可能である。
【００４７】
図１６（ａ）〜（ｆ）ならびに図１７（ａ）および（ｂ）に示すように、スイッチ延長部６０は、カバー本体２１に組み付けられる。スイッチ延長部６０は、保持部６１、可動部６２および圧縮コイルばね６６によって構成されている。カバー本体２１のスイッチ窓部２４（図６（ｂ）、図１１（ｂ））から制御ボックス１１の電源スイッチ１２（図３、図４）を押下できるように、可動部６２はＬ字型を呈しており、電源スイッチ１２を表す記号が設けられている操作面６３の中心線と、電源スイッチ１２の中心線は異なる位置にある。店員等が操作面６３を押すと、可動部６２が移動して、接触面６４が制御ボックス１１の電源スイッチ１２に接触して、電源スイッチ１２が押下される。接触面６４には、電源スイッチ１２を押し過ぎないように４箇所にストッパ６５が設けられている。
【００４８】
図１８（ａ）〜（ｆ）ならびに図１９（ａ）および（ｂ）に示すように、スライド部材２３は、２箇所に下方向に突出したフック状の爪部２３ｆが設けられている。スライド部材２３の爪部２３ｆが設けられている側の３箇所には、カバー本体２１の対応する孔部に挿入される突起２３ｐが設けられている。そのうちの２箇所は、爪部２３ｆと重複する位置にある。スライド部材２３の爪部２３ｆが設けられている側ではない側の３箇所には、カバー本体２１の対応する孔部に挿入される突起２３ｔが設けられている。
【００４９】
さらに図２０、図２１（ａ）および（ｂ）ならびに図２２（ａ）〜（ｄ）をも参照すると、スライド部材２３には、前述したように、スライド部材２３に３箇所ずつの突起２３ｐ、突起２３ｔが設けられている。一方、カバー本体２１には、スライド部材２３の突起２３ｐ、突起２３ｔに対応する孔部２１ｄ、孔部２１ｇが設けられている。スライド部材２３の突起２３ｐ、突起２３ｔがカバー本体２１の孔部２１ｄ、孔部２１ｇに挿入されて、カバー本体２１にスライド部材２３が組み付けられる。図２２（ｃ）、図２２（ｄ）から分かるように、カバー本体２１の孔部２１ｄ、孔部２１ｇに挿入されたスライド部材２３の突起２３ｐ、突起２３ｔの端部はフック状を呈しているため、スライド部材２３がカバー本体２１から外れることはない。スライド部材２３は、カバー本体２１の孔部２１ｄ、孔部２１ｇと挿入されるスライド部材２３の突起２３ｐ、突起２３ｔとの寸法の差分だけ、移動可能である。
【００５０】
図２３（ａ）および（ｂ）を参照すると、本ＰＯＳ端末装置は、基台部３０上の店員用表示部４０Ｓ側に、付属装置として、レシートプリンタ７０とバーコードリーダ８０とを有している。また、基台部３０上の顧客用表示部４０Ｃ側には、リーダライタ用台座３２が取り付けられており、必要に応じて、付属装置としてのリーダライタ（図示せず）が搭載される。尚、図２３（ａ）および（ｂ）中、付属装置と装置本体１０とを接続するための接続ケーブルは、図示を省略している。
【００５１】
尚、以上説明した実施形態においては、スイッチ延長部６０をカバー２０に組み付けているが、スイッチ延長部をカバーではなく、制御ボックスに組み付けるようにしてもよい。また、スイッチ延長部を制御ボックスの外側に付加するのではなく、制御ボックスに内蔵するものとしてもよい。さらに、制御ボックスが、スイッチ延長部を有さず、スイッチ窓部を介して電源スイッチ自体を押下できる位置に備えるものであってもよい。
【００５２】
以上の説明から明らかなように、本発明による電子機器は、カバーを工具なしで容易に取り外すことが可能である一方、カバーを取り外すための操作ツマミが、電子機器の外部に露出していないばかりか、操作ツマミ自体が存在しない。また、カバーを取り外すためには、スイッチ扉を開いた上で、さらにスライド部材を押し上げた状態を維持しつつ、カバーをスライドさせるという操作、即ち、複数種類の操作を行う必要がある。このため、顧客等の電子機器の操作を許されてない者によるイタズラの虞が低減される。
【００５３】
さらに、スイッチ扉は、電子機器の操作を許されてない者によるイタズラを受けたくない電源スイッチを覆い隠すための部材であるだけではなく、カバーを取り外すために操作が必要なロック部材の類でもある。このため、電源スイッチを覆い隠すための部材と、カバーのロック部材とを個別に設ける場合に比べ、コスト削減を図ることができる。
【００５４】
さらにまた、スライド部材も、スイッチ扉と同様に、カバーを取り外すために操作が必要なロック部材の類であるだけではなく、カバー本体と共に装置本体を覆い隠す外皮部材としての機能をも奏する。このため、外皮部材と、カバーのロック部材とを個別に設ける場合に比べてコスト削減を図ることができる。また、電子機器の操作を許されてない者がスライド部材を見ても、ロック部材だと気が付く可能性は低いと考えられる。
【符号の説明】
【００５５】
１０      装置本体
１０ｐ    突起部
１０ｐｓ  側面
１１      制御ボックス
１２      電源スイッチ
２０      カバー
２１      カバー本体
２２      スイッチ扉
２２Ｌ    下端部
２３      スライド部材
２３ｆ    爪部
２３ｆｓ  側面
２３Ｌ    下端部
２３Ｕ    上端部
２４      スイッチ窓部
３０      基台部
３２      リーダライタ用台座
３３      バーコードリーダ載置部
３５      ケーブル導出部
４０Ｃ    顧客用ディスプレイ
４０Ｓ    店員用ディスプレイ
５０      ディスプレイ支持部
５２Ｃ    ヒンジ部
５２Ｓ    ヒンジ部
６０      スイッチ延長部
７０      レシートプリンタ
８０      バーコードリーダ
【図１】
2019046344.tif 000003
【図２】
2019046344.tif 000004
【図３】
2019046344.tif 000005
【図４】
2019046344.tif 000006
【図５】
2019046344.tif 000007
【図６】
2019046344.tif 000008
【図７】
2019046344.tif 000009
【図８】
2019046344.tif 000010
【図９】
2019046344.tif 000011
【図１０】
2019046344.tif 000012
【図１１】
2019046344.tif 000013
【図１２】
2019046344.tif 000014
【図１３】
2019046344.tif 000015
【図１４】
2019046344.tif 000016
【図１５】
2019046344.tif 000017
【図１６】
2019046344.tif 000018
【図１７】
2019046344.tif 000019
【図１８】
2019046344.tif 000020
【図１９】
2019046344.tif 000021
【図２０】
2019046344.tif 000022
【図２１】
2019046344.tif 000023
【図２２】
2019046344.tif 000024
【図２３】
2019046344.tif 000025
【手続補正書】
【提出日】平成30年10月12日(2018.10.12)
【手続補正１】
【補正対象書類名】特許請求の範囲
【補正対象項目名】請求項７
【補正方法】変更
【補正の内容】
【請求項７】
請求項１乃至６のいずれか一項に記載の電子機器は、情報処理装置であり、
前記装置本体は、情報処理を行う制御部をさらに有し、
前記制御部は、
情報を演算処理する演算部と、
少なくともプログラムソフトウエアを記憶する記憶部と、
演算処理前の情報を入力する一方、演算処理後の情報を出力する情報入出力部と、を有し、
前記演算部は、前記記憶部に記憶された前記プログラムソフトウエアに基づいて演算処理を行う、情報処理装置。
【手続補正２】
【補正対象書類名】明細書
【補正対象項目名】００１２
【補正方法】変更
【補正の内容】
【００１２】
本発明によればまた、前記電子機器は、情報処理装置であり、前記装置本体は、情報処理を行う制御部をさらに有し、前記制御部は、情報を演算処理する演算部と、少なくともプログラムソフトウエアを記憶する記憶部と、演算処理前の情報を入力する一方、演算処理後の情報を出力する情報入出力部と、を有し、前記演算部は、前記記憶部に記憶された前記プログラムソフトウエアに基づいて演算処理を行う、情報処理装置が得られる。
【手続補正３】
【補正対象書類名】明細書
【補正対象項目名】００１９
【補正方法】変更
【補正の内容】
【００１９】
制御ボックス１１に内蔵された制御部は、図示はしないが、情報を演算処理する演算部と、少なくともプログラムソフトウエアを記憶する記憶部と、演算処理前の情報を入力する一方、演算処理後の情報を出力する情報入出力部とを有している。演算部は、記憶部に記憶されたプログラムソフトウエアに基づいて演算処理を行う。